(57)【要約】【課題】利用者向けアプリケーションの実装を意識せずにメンテナンスアプリケーションを実装できるメンテナンス用画面表示システム等を提供すること。【解決手段】メンテナンス用画面表示アプリケーションを利用者操作用アプリケーション上に実装する手段を備え、メンテナンス用画面表示アプリケーションは画面のタッチ位置、タッチ順を判別する手段を、メンテナンス用画面表示アプリケーションはタッチ位置、タッチ順を判別し、所定の記憶部に登録されているタッチ位置とタッチ順と照合し、一致した場合にはメンテナンス用画面を表示する。【選択図】図１
2009205251.tif 000002
【特許請求の範囲】
【請求項１】
メンテナンス用画面表示アプリケーションを利用者操作用アプリケーション上に実装する手段を備え、前記メンテナンス用画面表示アプリケーションは画面のタッチ位置、タッチ順を判別する手段を備えることを特徴とするメンテナンス用画面表示システム。
【請求項２】
メンテナンス用画面表示アプリケーションはタッチ位置、タッチ順を判別し、所定の記憶部に登録されているタッチ位置とタッチ順と照合し、一致した場合にはメンテナンス用画面を表示することを特徴とする請求項１記載のメンテナンス用画面表示システム。
【請求項３】
メンテナンス用画面表示アプリケーションを利用者操作用アプリケーション上に実装し、該メンテナンス用画面表示アプリケーションは画面のタッチ位置、タッチ順を判別することを特徴とするメンテナンス用画面表示方法。
【請求項４】
メンテナンス用画面表示アプリケーションはタッチ位置、タッチ順を判別し、所定の記憶部に登録されているタッチ位置とタッチ順と照合し、一致した場合にはメンテナンス用画面を表示することを特徴とする請求項３記載のメンテナンス用画面表示方法。
【請求項５】
メンテナンス用画面表示アプリケーションを利用者操作用アプリケーション上に実装したコンピュータに、前記メンテナンス用画面表示アプリケーションにより画面のタッチ位置、タッチ順を判別する処理を実行させることを特徴とするプログラム。
【請求項６】
メンテナンス用画面表示アプリケーションによりタッチ位置、タッチ順を判別し、所定の記憶部に登録されているタッチ位置とタッチ順と照合し、一致した場合にはメンテナンス用画面を表示させる処理を実行させることを特徴とする請求項５記載のプログラム。
【発明の詳細な説明】
【技術分野】
【０００１】
本発明は、利用者画面とメンテナンス用画面を表示する技術に関する。
【背景技術】
【０００２】
ＫＩＯＳＫ端末などのタッチパネル操作の端末上で、不特定多数の利用者が使用するシステムにおいて、アプリケーションからのメンテナンスを行なう場合には、通常使用されないタッチ位置／タッチ順で画面上のタッチを行いメンテナンス用画面の表示を行なっている。これまで、メンテナンス用画面表示はアプリケーションに処理を組み込んで実装をおこなっていた。
【０００３】
すなわち、利用者画面用プログラムとメンテナンス画面用プログラムが同じプログラムとなっているため、利用者画面のデザイン変更によってメンテナンス画面実行部の改造が必要になる。
【０００４】
関連技術として、タッチパネル等を入出力装置として備えた情報端末等を使用したデモンストレーションやプレゼンテーションにおいて、視聴者がオペレータの操作に追従可能な情報の表示方法が提案されている。その構成は、情報の表示とその表面への接触操作の検出とが可能な操作画面部と、この操作画面部への情報の表示を制御する第１の表示制御部と、接触操作に対する操作画面部の２以上の動作態様のいずれか一つを選択するための動作態様選択部とを備えた情報処理装置である。第１の動作態様は、操作画面部を通じての接触操作に対して、この操作に対応する第１の機能が提供される。一方、第２の動作態様は、前記操作画面部を通じての接触操作に対して、この操作に対応する上記第１の機能の提供に代えて、または、この第１の機能の提供とともに、この接触位置に接触の検出を示すための標識を表示するという第２の機能を提供する（例えば、特許文献１参照）。
【特許文献１】特開２００１−１１７６９７号公報
【発明の開示】
【発明が解決しようとする課題】
【０００５】
しかしながら、上述の関連技術では、アプリケーションに改造を行いメンテナンス用画面表示のためのタッチ位置/タッチ順に影響が出る場合には、タッチ位置/タッチ順を変更するためにアプリケーションの改造規模が大きくなってしまっていた。
【０００６】
本発明は、以上のような課題を解決するためになされたもので、利用者向けアプリケーションの実装を意識せずにメンテナンスアプリケーションを実装できるメンテナンス用画面表示システム、その方法およびプログラムを提供することを目的とする。
【課題を解決するための手段】
【０００７】
本発明のメンテナンス用画面表示システムは、メンテナンス用画面表示アプリケーションを利用者操作用アプリケーション上に実装する手段を備え、前記メンテナンス用画面表示アプリケーションは画面のタッチ位置、タッチ順を判別する手段を備えることを特徴とする。
【０００８】
また、本発明のメンテナンス用画面表示方法は、メンテナンス用画面表示アプリケーションを利用者操作用アプリケーション上に実装し、該メンテナンス用画面表示アプリケーションは画面のタッチ位置、タッチ順を判別することを特徴とする。
【０００９】
また、本発明のプログラムは、メンテナンス用画面表示アプリケーションを利用者操作用アプリケーション上に実装したコンピュータに、前記メンテナンス用画面表示アプリケーションにより画面のタッチ位置、タッチ順を判別する処理を実行させることを特徴とする。
【発明の効果】
【００１０】
本発明によれば、利用者向けアプリケーションの実装を意識せずにメンテナンスアプリケーションを実装できる。
【発明を実施するための最良の形態】
【００１１】
以下、本発明の第一の実施の形態について図面を参照して詳細に説明する。図１に示す本実施の形態におけるメンテナンス用画面表示システムは、利用者が操作するアプリケーションの上にメンテナンス用画面表示アプリケーションを備える。
【００１２】
メンテナンス用画面表示アプリケーションは透明画面とし、ユーザには見えないようになっている。
【００１３】
画面タッチ時に、メンテナンス用画面表示アプリケーションにタッチされた情報が送信され、タッチ位置を判別する。
【００１４】
メンテナンス用画面表示アプリケーションは通常の画面タッチと同じタッチ情報を利用者向けアプリケーションに送信する。利用者向けアプリケーションは通常に動作を行い、利用者にはメンテナンス用画面表示アプリケーションの動作を意識させないようになっている。
【００１５】
メンテナンス用画面表示アプリケーションでは図２で示すように画面を任意の数で分割し分割されたどのエリアをタッチされたかを認識し、登録されている順番にタッチされた場合にメンテナンス用のアプリケーションを実行する。
【００１６】
メンテナンス用アプリケーションでメンテナンス画面を表示し、メンテナンスが可能となる。
【００１７】
本実施の形態によれば、アプリケーションの改造等によってメンテナンス画面表示用のタッチ位置／タッチ順に変更が必要となっても、メンテナンス画面に関連する改造は必要なくなるため、システムへの影響を少なくすることができる。
【００１８】
次に、図１及び図２のフローチャートを参照して本実施の形態の動作について詳細に説明する。
【００１９】
タッチパネル１に与えられた入力座標情報はメンテナンス用画面表示アプリケーション２に供給される。
【００２０】
メンテナンス用画面表示アプリケーション２は利用者アプリケーション４及びコマンド制御部３に同じ入力座標情報を供給する。コマンド制御部３はタッチ位置が登録されているかどうかを調べる。
【００２１】
図２において、ステップＡ１でタッチされた順番に応じたタッチ位置の情報を取得する。
【００２２】
次に、ステップＡ２において入力データと登録データとの判別を行ない、登録されている順番でタッチされているかの確認を行なう。
【００２３】
ステップＡ３においてタッチ順番を確認し、コマンドの最後のタッチとなる場合には登録されているメンテナンス用アプリケーションを実行する（ステップＡ４）。
【００２４】
本実施の形態によれば、利用者向けアプリケーションの実装を意識せずにメンテナンスアプリケーションを実装できる。その理由は、タッチ情報を利用者向けアプリケーションにも通知するためである。
【００２５】
なお、上述する各実施の形態は、本発明の好適な実施の形態であり、本発明の要旨を逸脱しない範囲内において種々変更実施が可能である。例えば、メンテナンス用画面表示システムの機能を実現するためのプログラムをシステムに読込ませて実行することによりシステムの機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。本発明は、タッチパネルを使用した一般利用者向けシステム用のメンテナンス画面実装といった用途に適用できる。
【図面の簡単な説明】
【００２６】
【図１】本発明の実施の形態に係るシステム構成を示す図である。
【図２】本発明の実施の形態に係るシステムの全体の動作を示すフローチャートである。
【符号の説明】
【００２７】
１    タッチパネル
２    メンテナンス用画面表示アプリケーション
３    コマンド制御部
４    利用者アプリケーション
【図１】
2009205251.tif 000003
【図２】
2009205251.tif 000004